(57)【特許請求の範囲】
【請求項１】
第１導電型の第１半導体層と、
前記第１半導体層の表面に接してなる前記第１導電型と反対の第２導電型の第２半導体層と、
前記第１半導体層の裏面に接してなるコレクタ電極と、
前記第２半導体層の表面に形成してなるゲート電極及びエミッタ電極と、
前記コレクタ電極とエミッタ電極間の通電時に前記第２導電層に拡がる空乏層が該第２半導体層の端部に到達することを防止すべく当該第２半導体層表面の縁辺に形成してなるチャネルストッパ領域と、
前記空乏層の拡がりを抑えるため前記チャネルストッパ領域に接してなるＥＱＲ電極とを備えた半導体装置において、
前記コレクタ電極と前記第１半導体層の周側面、前記第２半導体層の周側面及び前記チャネルストッパ領域の周側面に沿って接し前記ＥＱＲ電極とに延在するように設けられた導電材と、を有することを特徴とする半導体装置。
【請求項２】
前記導電材は、テープ状に形成されるとともに、一方の面に接着材を設けてなることを特徴とする請求項１に記載の半導体装置。
【請求項３】
前記導電材は、銀ペーストであることを特徴とする請求項１に記載の半導体装置。
【発明の詳細な説明】
【０００１】
【発明の属する分野】
本発明は、半導体装置に係り、特に電源回路等に利用されるＩＧＢＴ型の半導体装置に関するものである。
【０００２】
【従来の技術】
ＩＧＢＴは、近年、バイポーラパワートランジスタとパワーＭＯＳＦＥＴとの双方の長所を併せ持つトランジスタとして、その利用が広がっている。図８は、従来技術に係るＩＧＢＴ型の半導体装置を示す断面図である。図中、１１０は半導体装置、１２０はシリコン基板、１２１はＰ＋型層、１２２はＮ−型層、１２３はＰウェル層、１２４はＮ＋型拡散領域、１２５はゲート絶縁膜、１２６はゲート電極膜、１２７は下地酸化膜、１２８は層間絶縁膜、１２９はエミッタ電極膜、１３０はコレクタ電極、１３１はチャネルストッパ領域、１３２は酸化膜、１３３は層間絶縁膜、１３４はＥＱＲ電極膜である。
【０００３】
半導体装置１１０は、シリコン基板１２０の内部にＰ＋型層１２１、Ｎ−型層１２２、Ｐウェル層１２３とを積層して形成し、さらにＰウェル層１２３の内部にＮ＋型拡散領域１２４を形成している。また、シリコン基板１２０の表面には、Ｎ−型層１２３、Ｐウェル層１２３およびＮ＋型拡散領域１２４に跨るようにゲート絶縁膜１２５を形成し、さらにゲート絶縁膜１２５上には、ゲート電極膜１２６を形成している。
【０００４】
くわえて、Ｎ＋型拡散領域１２４の一部と、ゲート絶縁膜１２５およびゲート電極膜１２６の側面と、ゲート電極膜１２６との表面にかけて下地酸化膜１２７を形成しており、さらに下地酸化膜１２７上に層間絶縁膜１２８を形成している。また、層間絶縁膜１２８の表面と、層間絶縁膜１２８に覆われていないＰウェル層１２３およびＮ＋型拡散領域１２４との表面にエミッタ電極膜１２９を形成している。また、シリコン基板１２０の裏面、すなわちＮ−型層１２２の表面には、コレクタ電極１３０を形成している。なお、ゲート電極膜１２６およびエミッタ電極膜１２９は、それぞれ後述するゲート電極パッドおよびエミッタ電極パッドに接続されている。
【０００５】
また、シリコン基板１２０の端部の表面付近には、チャネルストッパ領域１３１を形成し、チャネルストッパ領域１３１上には、チャネルストッパ領域１３１の一部を覆うように酸化膜１３２を形成している。さらに、酸化膜１３２上には、層間絶縁膜１２７を形成し、くわえてチャネルストッパ領域１３１と層間絶縁膜１３３とに跨るように、空乏層の拡がりを抑えるＥＱＲ（Ｅｑｕｉ−ｐｏｔｅｎｔｉａｌ  Ｒｉｎｇ）電極膜１３４を形成している。
【０００６】
したがって、半導体装置１１０においては、Ｐ＋型層１２１、Ｎ−型層１２２、Ｐウェル層１２３およびＮ＋型拡散領域１２４の各層を積層することによって、ＩＧＢＴとしての構成を有する半導体装置としている。
【０００７】
以上の構成において、ゲート電極膜１２６とエミッタ電極膜１２９との間に所定閾値以上の電圧を印加すると、Ｐウェル層１２３のゲート絶縁膜１２５との境界領域に反転層が形成されてチャネルとなる。そして、コレクタ電極１３０とエミッタ電極膜１２９との間に電圧を印加すると、コレクタ電極１３０からエミッタ電極膜１２９へこのチャネルを通って電流が流れる。
【０００８】
さらに、上述の半導体装置の実装方法の概略について説明する。図９は、従来技術に係るＩＧＢＴ型の半導体装置の実装方法の概略を示す断面図である。これらの図中、１３６はゲート電極パッド、１３７はエミッタ電極パッド、１３８ａ，１３８ｂはワイヤ、１４０は基板、１４１は絶縁基板材、１４２はランド、１４３はハンダである。その他の符号は、図８に示したものと同じである。
【０００９】
まず、絶縁基板材１４１上にランド１４２、ハンダ１４３を積層して設けた基板１４０に半導体装置１１０を載置する。そして、半導体装置１１０および基板１４０を図示しないリフロー炉内に搬入し、ハンダ１４３を溶融させて、ハンダ１４３と金属膜１３０とを接続する。さらに、ゲート電極パッド１３６およびエミッタ電極パッド１３７にそれぞれワイヤ１３８ａ，１３８ｂを接続する。
【００１０】
ところで、上述のようなＩＧＢＴ型の半導体装置は、ゲート電圧を零または負電圧にすることによってターンオフするが、Ｎ−型層１２２内部のキャリアが排除されるまでＭＯＳＦＥＴ型のものよりもかなりの時間を要し、ターンオフ時のスイッチング特性はＭＯＳＦＥＴよりも劣っている。
【００１１】
【発明が解決しようとする課題】
本発明は、上述の課題を解決するために、ターンオフ時のスイッチング特性がＭＯＳＦＥＴに近いＩＧＢＴ型の半導体装置を提供することを目的とするものである。
【００１２】
【課題を解決するための手段】
上記課題を解決するための手段として、本発明の半導体装置は、第１導電型の第１半導体層と、前記第１半導体層の表面に接してなる前記第１導電型と反対の第２導電型の第２半導体層と、前記第１半導体層の裏面に接してなるコレクタ電極と、前記第２半導体層の表面に形成してなるゲート電極及びエミッタ電極と、前記コレクタ電極とエミッタ電極間の通電時に前記第２導電層に拡がる空乏層が該第２半導体層の端部に到達することを防止すべく当該第２半導体層表面の縁辺に形成してなるチャネルストッパ領域と、前記空乏層の拡がりを抑えるため前記チャネルストッパ領域に接してなるＥＱＲ電極とを備えた半導体装置において、前記コレクタ電極と前記第１半導体層の周側面、前記第２半導体層の周側面及び前記チャネルストッパ領域の周側面に沿って接し前記ＥＱＲ電極とに延在するように設けられた導電材と、を有することを特徴とする。
【００１４】
導電材は、テープ状に形成されるとともに、一方の面に接着材を設けてなることを特徴とする。
【００１５】
導電材は、銀ペーストであることを特徴とする。
【００２３】
【発明の実施の形態】
以下に、本発明の第１の実施の形態に係る半導体装置を図面に基づいて詳細に説明する。図１は、本発明の第１の実施の形態に係る半導体装置を示す断面図である。図中、１０は半導体装置、１１は導電性テープ、１２はＥＱＲ電極付着部、１３はコレクタ電極付着部、１５は導電性接着剤、２０はシリコン基板、２１はＰ＋型層、２２はＮ−型層、２３はＰウェル層、２４はＮ＋型拡散領域、２５はゲート絶縁膜、２６はゲート電極膜、２７は下地酸化膜、２８は層間絶縁膜、２９はエミッタ電極膜、３０はコレクタ電極、３１はチャネルストッパ領域、３２は酸化膜、３３は層間絶縁膜、３４はＥＱＲ電極膜である。
【００２４】
半導体装置１０は、Ｎ−型のシリコン基板２０の一方の面から内奥へ広がるＰウェル層２３を形成している。また、Ｐウェル層２３内には、Ｎ＋型拡散領域２４を２つ形成している。また、Ｐウェル層２３およびＮ＋型拡散領域２４は、これらで１つのセルを形成しており、このセルがシリコン基板２０の表面に多数配置されている。さらに、Ｎ−型のシリコン基板２０の他方の面には、Ｐ＋型層２１を形成している。シリコン基板２０のＰ＋型層２１、Ｐウェル層２３およびＮ＋型拡散領域２４を形成していない部分は、Ｎ−型層２２となる。なお、１つのＰウェル層１２内に形成されるＮ＋型拡散領域２４は、２つに限られるものではなく、１つまたは３つ以上形成しても良い。
【００２５】
さらに、シリコン基板２０上には、Ｎ−型層２２、Ｐウェル層２３およびＮ＋型拡散領域２４のそれぞれ一部に跨るように、シリコン酸化膜からなるゲート絶縁膜２５が形成されている。ゲート絶縁膜２５上には、ゲート電極膜２６を積層形成している。また、Ｎ＋型拡散領域２４の一部とゲート電極膜２６との上には、シリコン酸化膜からなる下地酸化膜２７を形成しており、さらに下地酸化膜２７上には、ＰＳＧ（Ｐｈｏｓｏ−Ｓｉｌｉｃａｔｅ  Ｇｌａｓｓ）からなる層間絶縁膜２８を形成している。
【００２６】
くわえて、Ｐウェル層２３およびＮ＋型拡散領域２４と、層間絶縁膜２８とに跨るように、エミッタ電極膜２９を形成している。また、エミッタ電極膜２９は、シリコン基板２０上に後述するエミッタ電極パッドと一体にして形成されており、ゲート電極膜２６に接続された後述するゲート電極パッドなどとともに、シリコン基板２０の表面に配線パターンを形成している。さらに、シリコン基板２０のＰ＋型層２１側の表面には、コレクタ電極３０を形成している。コレクタ電極３０は、金属蒸着法によって銀（Ａｇ）およびニッケル（Ｎｉ）の膜を積層して形成したもので、Ｐ＋型層２１側の表面を覆っている。なお、コレクタ電極３０は、Ｐ＋型層２１の一部のみを覆うように形成してよく、またその材質は、銀およびニッケル以外の金属を用いても良い。
【００２７】
また、シリコン基板２０の端部の表面付近には、半導体装置１０の通電時に、Ｎ−型層２２内に拡がるた空乏層がシリコン基板２０の端部にまで到達することを防止するために、Ｎ＋＋の性状を持つチャネルストッパ領域３１を形成している。また、チャネルストッパ領域３１上には、チャネルストッパ領域３１の一部を覆うように、シリコン酸化膜からなる酸化膜３２を形成している。さらに、酸化膜３２上には、ＰＳＧからなる層間絶縁膜３３を形成している。くわえて、チャネルストッパ領域３１と層間絶縁膜３３とに跨るように、上述した空乏層の拡がりを抑えるＥＱＲ電極膜３４を形成している。なお、ＥＱＲ電極膜３４は、エミッタ電極膜２９と離隔して、かつ半導体装置１０の表面上に環状に形成されている。また、図示していないが、Ｐウェル層２３とチャネルストッパ領域３１との間には、ガードリング領域を複数個形成しており、通電時に空乏層がシリコン基板２０の表面に沿って拡がるようにしている。
【００２８】
さらに、コレクタ電極３０およびＥＱＲ電極膜３４を電気的に接続する導電性テープ１１を設けている。導電性テープ１１は、カーボンテープであり、コレクタ電極３０とＥＱＲ電極膜３４とを接続しており、コレクタ電極３０、ＥＱＲ電極膜３４および半導体装置１０の周側面に導電性接着剤１５で貼り付けられている。
【００２９】
なお、導電性テープ１１は、例えば銀などカーボン以外の導電材を用いて形成されたテープであっても良い。また、片面に導電性接着剤１５を予め設けるようにしても良い。さらに、導電性テープ１１の幅は、導電性テープ１１を流れる電流を適当な範囲のものとするために、半導体装置１０の周側面全体を覆うような幅広のものとしても良く、逆に周側面の一部のみを覆う細いものとするなど、必要に応じて変更して良い。同様に、導電性テープ１１のＥＱＲ電極付着部１２およびコレクタ電極付着部１３は、それぞれＥＱＲ電極３４およびコレクタ電極３０の表面の一部に接続されるようにしても良いし、全部に付着されるようにしても良い。さらに、導電性テープ１１は、半導体装置１０の周側面に沿って設けられる部分の一部または全部を当該周側面に貼り付けずに、当該周側面から離隔させて設けても良い。くわえて、半導体装置１０の周側面の一部または全部に絶縁膜を設けて、Ｐ＋型層２１、Ｎ−型層２２およびチャネルストッパ領域３１の全部またはいずれかのものと導電性テープ１１とを絶縁させても良い。
【００３０】
以上のように、Ｐ＋型層２１、Ｎ−型層２２、Ｐウェル層２３およびＮ＋型拡散領域２４は、ＰＮＰＮの接合をなしてＩＧＢＴを構成している。さらに、コレクタ電極３０は、ＥＱＲ電極膜３４と導電性テープ１１によって短絡されており、Ｐウェル層２３、Ｎ＋型拡散領域２４およびチャネルストッパ領域３１とでＮＰＮ接合をなしてＭＯＳＦＥＴを形成している。したがって、半導体装置１０は、ＩＧＢＴ型の構成を持つとともに、導電性テープ１１を設けたことによってＭＯＳＦＥＴ型の構成も併せ持つものとなっている。
【００３１】
以上の構成において、ゲート電極膜２６とエミッタ電極膜２９との間に所定閾値以上の電圧を印加すると、従来技術に係るＩＧＢＴ型の半導体装置と同様に、Ｐウェル層２３のゲート絶縁膜２５との境界領域に反転層が形成されてチャネルとなる。したがって、電流は、コレクタ電極３０から、Ｐ＋型層２１、Ｎ−型層２２、Ｐウェル層２３およびＮ＋型拡散領域２４を通ってエミッタ電極膜２９へ向かって流れる。ところが、半導体装置１０は、ＭＯＳＦＥＴ型の構成も持っているから、同時に、コレクタ電極３０から導電性テープ１１を経由し、ＥＱＲ電極膜２５を介してチャネルストッパ領域３１（あるいは導電性テープ１１から直接チャネルストッパ領域３１）、Ｎ−型層２２、Ｐウェル層２３、Ｎ＋型拡散領域２４、エミッタ電極膜２９へと流れる経路も生じる。さらに、導電性テープ１１からＮ−型層２２へも直接電流が流れる。
【００３２】
さらに、ゲート電極膜２６とエミッタ電極膜２９との間の電圧を零または負電圧にすると、Ｎ−型層２２内部のキャリアは、コレクタ電極３０へ向かって排除されると同時に、チャネルストッパ領域３１へも排除される。特に、導電膜２０とエミッタ電極膜１８との間の電圧が例えば０．５Ｖ以下など低い状態にあるときには、導電膜２０とＮ−型層１１とのショットキー接合のＶＦの大きさ、およびＮ−型層１１とＰウェル層１２とのＰＮジャンクションのＶＦの大きさから、ほとんどの電流は、導電膜２０から、チャネルストッパ領域２４またはＥＱＲ電極膜２５を通ってチャネルストッパ領域２４からＮ−型層１１へ、さらにＰウェル層１２およびＮ＋型拡散領域１３を経由して流れる経路と、導電性テープ１１から直接Ｎ−型層２２へ流れる経路とを通ることになる。
【００３３】
したがって、半導体装置１０は、そのターンオフ時、特にコレクタ電極３０とエミッタ電極膜２９との間の電圧が低い状態にあるときに、ＭＯＳＦＥＴとしての機能をよく発現させて、従来技術に係るＩＧＢＴ型の半導体装置よりも電流の立下り時間が短縮するという特長を有する。また、従来技術に係るＩＧＢＴ型の半導体装置も、導電性テープ１１および導電性接着剤１５を設けるだけで、ＭＯＳＦＥＴ型の構成を併せ持つようにすることが可能である。
【００３４】
なお、以上の構成においては、Ｐ＋型層２１、Ｎ−型層２２、Ｐウェル層２３およびＮ＋型拡散領域２４でＰＮＰＮの接合をなすようにしたが、Ｐ＋型層２１に代えて金属層を形成し、この金属層と、Ｎ−型層２２、Ｐウェル層２３およびＮ＋型拡散領域２４とでＰＮＰＮの接合をなすようにしても良い。また、導電性テープ１１に代えて、導電性のあるコ字状の枠体やワイヤを設けるようにしても良い。さらに、ＥＱＲ電極膜３４は、エミッタ電極膜２９など他の電極と離隔して形成されていれば、棒状など他の形状に形成されていても良い。
【００３５】
続けて、本発明の第１の実施の形態に係る半導体装置の実装方法について説明する。図２は、本発明の第１の実施の形態に係る半導体装置の第１の実装方法を示す断面図である。図中、３６はゲート電極パッド、３７はエミッタ電極パッド、３８ａ，３８ｂはワイヤ、４０は基板、４１は絶縁基板材、４２はランド、４３はハンダである。その他の符号は、図1に示したものと同じである。
【００３６】
半導体装置１０は、図1に示した半導体装置１０と同じものである。基板４０は、絶縁基板材４１上にランド４２を積層して設けたものである。まず、あらかじめハンダ４３を印刷して設けたランド４２と導電性テープ１１のコレクタ電極接続部１３とを位置合わせしつつ、半導体装置１０を基板４０上に載置する。次に、半導体装置１０および基板４０を図示しないリフロー炉内に搬入し、ハンダ４３を溶融させて、ハンダ４３と導電性テープ１１およびコレクタ電極３０とを接続する。さらに、ゲート電極パッド３６およびエミッタ電極パッド３７にそれぞれワイヤ３８ａ，３８ｂを接続する。
【００３７】
以上のように実装すれば、半導体装置１０のコレクタ電極３０とともに、導電性テープ１１を基板４０のランド４２と接続することができる。したがって、ＥＱＲ電極膜３４とランド４２とが導電性テープ１１を介して接続され、ＭＯＳＦＥＴとしての機能を持つＩＧＢＴ型の半導体装置１０の実装を簡便に行なうことができる。なお、半導体装置１０と基板４０とを接続した後に、半導体装置１０の全体を樹脂で封止することもでき、半導体装置１０の表面の一部に樹脂を設けても良い。また、ゲート電極パッド３６およびエミッタ電極パッド３７の形成面にポリイミドなどの樹脂膜を形成して、当該面を保護しても良い。
【００３８】
また、本発明の第１の実施の形態に係る半導体装置は、図２に示した実装形態のほかに、ゲート電極パッド３６およびエミッタ電極パッド３７をランド４２に直接接続することも可能である。図３は、本発明の第１の実施の形態に係る半導体装置の第２の実装方法を示す断面図である。図中、１４はポリイミド絶縁膜、４２ａ，４２ｂ，４２ｃ，４２ｄはランド、４３ａ，４３ｂ，４３ｃ，４３ｄはハンダである。その他の符号は、図２に示したものと同じである。
【００３９】
図３に示すように、半導体装置１０のゲート電極パッド３６およびエミッタ電極パッド３７の形成面をランド４２ａ〜４２ｄに相対向させて、ゲート電極パッド３６およびエミッタ電極パッド３７は、それぞれランド４２ｃおよびランド４２ｂに接続している。また、導電性テープ１１は、ランド４２ａ，ｄに接続されている。また、ゲート電極パッド３６およびエミッタ電極パッド３７の形成面以外の面にポリイミド絶縁膜１４を形成している。
【００４０】
したがって、この第２の実装方法によれば、半導体装置１０をフリップチップ実装しているので、ワイヤーボンディング工程が不要となる。また、半導体装置１０をＣＳＰ（Ｃｈｉｐ  Ｓｉｚｅ  Ｐａｃｋａｇｅ）とすることができるので、半導体装置１０の実装面積の低減を図ることが可能となる。なお、ポリイミド絶縁膜１４は、別の樹脂を用いて形成しても良い。また、ポリイミド絶縁膜１４をコレクタ電極３０の表面のみに形成するなど、上述の形成範囲と異なる範囲に形成しても良いし、適宜省略することも可能である。
【００４１】
また、ＭＯＳＦＥＴとしての機能を併せ持つＩＧＢＴ型の半導体装置を構成は、別の実装方法によっても実現可能である。図４は、本発明の第２の実施の形態に係る半導体装置の実装方法を示す断面図である。図中の符号は、すべて図２において用いたものと同じである。この実施の形態においては、まず従来技術に係るＩＧＢＴ型の半導体装置を用意し、この半導体装置のコレクタ電極を基板に接続した後に導電性テープを設けるようにしたものである。
【００４２】
まず、半導体装置１０のコレクタ電極３０の形成面よりも広いランド４２を設けた基板４０を用意する。そして、導電性テープを設けていない半導体装置１０を基板４０に接続する。この際、コレクタ電極３０とランド４２とを位置合わせしつつ、半導体装置１０を基板４０上に載置する。また、次に、半導体装置１０および基板４０を図示しないリフロー炉内に搬入し、ハンダ４３を溶融させて、ハンダ４３とコレクタ電極３０とを接続する。続けて、ＥＱＲ電極膜３４、半導体装置１０の周側面、およびランド４２のうちコレクタ電極３０に接続されていない部分に導電性接着剤１５を塗布して、導電性テープ１１を貼り付ける。さらに、ゲート電極パッド３６およびエミッタ電極パッド３７にそれぞれワイヤ３８ａ，３８ｂを接続する。
【００４３】
以上のように実装すれば、半導体装置１０のコレクタ電極３０とともに、導電性テープ１１を基板４０のランド４２と接続することができる。これによって、導電性テープ１１とランド４２を介してコレクタ電極３０とＥＱＲ電極膜３４とが短絡される。したがって、導電性テープを設けていない半導体装置であっても、上述のように導電性テープを貼り付けることによって、ＭＯＳＦＥＴとしての機能を発現するようにできる。
【００４４】
また、コレクタ電極３０とＥＱＲ電極膜３４とを短絡する手段は、導電性テープ１１に限られるものではなく、他の手段によっても実現可能である。図５は、本発明の第３の実施の形態に係る半導体装置の実装方法を示す断面図である。図中、１６は銀ペースト、１７はＥＱＲ電極膜付着部、３５は間隙領域である。その他の符号は、図４に示したものと同じである。
【００４５】
図５に示す実施の形態おいては、コレクタ電極３０とＥＱＲ電極膜３４とを短絡する手段として、導電性テープ１１に代えて銀ペースト１６を用いている。図４に示した実施の形態と同様に、半導体装置１０のコレクタ電極３０の形成面よりも広いランド４２を設けた基板４０を用意する。そして、導電性テープを設けていない半導体装置１０を基板４０に載置する。この際、コレクタ電極３０とランド４２とを位置合わせしつつ、半導体装置１０を基板４０上に載置する。また、次に、半導体装置１０および基板４０を図示しないリフロー炉内に搬入し、ハンダ４３を溶融させて、ハンダ４３とコレクタ電極３０とを接続する。続けて、ＥＱＲ電極膜３４、半導体装置１０の周側面、およびランド４２のうちコレクタ電極３０に接続されていない部分に銀ペースト１６を付着させて加熱する。さらに、ゲート電極パッド３６およびエミッタ電極パッド３７にそれぞれワイヤ３８ａ，３８ｂを接続する。
【００４６】
以上の方法によれば、銀ペースト１６が導電性テープ１１と同様の導電性を有するので、図４に示した半導体装置と同様のものを得ることができる。なお、銀ペースト１６と、ゲート電極パッド３６またはエミッタ電極パッド３７とが接触しないように、例えば間隙領域３５を設ける、あるいはゲート電極パッド３６およびエミッタ電極パッド３７の周囲にポリイミド樹脂を設けるなどの手段を講じることが好ましい。
【００４７】
また、図６に示すように銀ペーストを設けても良い。図６は、本発明の第４の実施の形態に係る半導体装置の実装方法を示す断面図である。図中の符号は、すべて図２において用いたものと同じである。図６に示した半導体装置１０は、ＥＱＲ電極膜３４の端部位置がシリコン基板２０の端部の位置と一致するように形成されている。また、銀ペースト１６をシリコン基板２０の周側面およびＥＱＲ電極膜３４の端面に付着させている。なお、半導体装置１０と基板４０の接続方法などは、図５に示したものと同じである。
【００４８】
以上の方法によれば、銀ペースト１６とゲート電極パッド３６およびエミッタ電極パッド３７との間隙を十分に確保することができるとともに、銀ペースト１６をＥＱＲ電極膜３４の端面に付着させているので、銀ペースト１６とＥＱＲ電極膜３４を確実に付着させることができる。
【００４９】
また、図７に示すように、導電性テープ１１に代えてワイヤを用いても良い。図７は、本発明の第５の実施の形態に係る半導体装置の実装方法を示す断面図である。図中、１８ａ，１８ｂはワイヤである。その他の符号は、すべて図４において用いたものと同じである。この実施の形態においては、図４に示した実施の形態と同様に、半導体装置１０のコレクタ電極３０の形成面よりも広いランド４２を設けた基板４０を用意する。
【００５０】
次に、導電性テープを設けていない半導体装置１０を基板４０に載置する。この際、コレクタ電極３０とランド４２とを位置合わせしつつ、半導体装置１０を基板４０上に載置する。次に、半導体装置１０および基板４０を図示しないリフロー炉内に搬入し、ハンダ４３を溶融させて、ハンダ４３とコレクタ電極３０とを接続する。続けて、ＥＱＲ電極膜３４、ゲート電極パッド３６およびエミッタ電極パッド３７にそれぞれワイヤ１８ａ，１８ｂ、ワイヤ３８ａ，３８ｂを接続する。さらに、ワイヤ１８ａ，１８ｂの他方の端部をランド４２に接続する。なお、ワイヤ１８ａ，１８ｂ、およびワイヤ３８ａ，３８ｂの材質は、金（Ａｕ）などのワイヤボンディングに好適な金属を使用する。他の実施の実施におけるワイヤ３８ａ，３８ｂについても同様である。
【００５１】
以上の方法によれば、半導体装置１０の実装面積が他の実施の形態よりも大きくなるが、銀ペーストを付着させる等の工程を設けずに、導電性テープ１１を設けた場合と同様の半導体装置を得ることができる。
【００５２】
【発明の効果】
以上にように、本発明は、コレクタ電極、第１半導体層の周側面、第２半導体層の周側面、チャネルストッパ領域の周側面およびＥＱＲ電極を電気的に接続する導電材とを設けたことにより、ＩＧＢＴとＭＯＳＦＥＴとの両方の構成を有する半導体装置を形成することができ、ターンオフ時のスイッチング特性がＭＯＳＦＥＴに近いＩＧＢＴ型の半導体装置を提供することが可能になる。
【図面の簡単な説明】
【図１】本発明の第１の実施の形態に係る半導体装置を示す断面図である。
【図２】本発明の第１の実施の形態に係る半導体装置の第１の実装方法を示す断面図である。
【図３】本発明の第１の実施の形態に係る半導体装置の第２の実装方法を示す断面図である。
【図４】本発明の第２の実施の形態に係る半導体装置の実装方法を示す断面図である。
【図５】本発明の第３の実施の形態に係る半導体装置の実装方法を示す断面図である。
【図６】本発明の第４の実施の形態に係る半導体装置の実装方法を示す断面図である。
【図７】本発明の第５の実施の形態に係る半導体装置の実装方法を示す断面図である。
【図８】従来技術に係るＩＧＢＴ型の半導体装置を示す断面図である。
【図９】従来技術に係るＩＧＢＴ型の半導体装置の実装方法の概略を示す断面図である。
【符号の簡単な説明】
１０      半導体装置
１１      導電性テープ
１２      ＥＱＲ電極付着部
１３      コレクタ電極付着部
１４      ポリイミド絶縁膜
１５      導電性接着剤
１６      銀ペースト
１７      ＥＱＲ電極膜付着部
１８ａ    ワイヤ
１８ｂ    ワイヤ
２０      シリコン基板
２１      Ｐ＋型層
２２      Ｎ−型層
２３      Ｐウェル層
２４      Ｎ＋型拡散領域
２５      ゲート絶縁膜
２６      ゲート電極膜
２７      下地酸化膜
２８      層間絶縁膜
２９      エミッタ電極膜
３０      コレクタ電極
３１      チャネルストッパ領域
３２      酸化膜
３３      層間絶縁膜
３４      ＥＱＲ電極膜
３５      間隙領域
３６      ゲート電極パッド
３７      エミッタ電極パッド
３８ａ    ワイヤ
３８ｂ    ワイヤ
４０      基板
４１      絶縁基板
４２      ランド
４２ａ    ランド
４２ｂ    ランド
４２ｃ    ランド
４２ｄ    ランド
４３      ハンダ
４３ａ    ハンダ
４３ｂ    ハンダ
４３ｃ    ハンダ
４３ｄ    ハンダ
１１０    半導体装置
１２０    シリコン基板
１２１    Ｐ＋型層
１２２    Ｎ−型層
１２３    Ｐウェル層
１２４    Ｎ＋型拡散領域
１２５    ゲート絶縁膜
１２６    ゲート電極膜
１２７    下地酸化膜
１２８    層間絶縁膜
１２９    エミッタ電極膜
１３０    コレクタ電極
１３１    チャネルストッパ領域
１３２    酸化膜
１３３    層間絶縁膜
１３４    ＥＱＲ電極膜
１３６    ゲート電極パッド
１３７    エミッタ電極パッド
１３８ａ  ワイヤ
１３８ｂ  ワイヤ
１４０    基板
１４１    絶縁基板材
１４２    ランド
１４３    ハンダ
【図１】
0004030273.tif 000002
【図２】
0004030273.tif 000003
【図３】
0004030273.tif 000004
【図４】
0004030273.tif 000005
【図５】
0004030273.tif 000006
【図６】
0004030273.tif 000007
【図７】
0004030273.tif 000008
【図８】
0004030273.tif 000009
【図９】
0004030273.tif 000010